(57)【要約】【課題】大入賞口を開閉する開閉部材を有する大入賞口装置を備えたパチンコ遊技機において、不正に開閉部材を開放するゴト行為の予防、開閉部材の閉位置のときのガタつき防止、開閉部材やその駆動機構の損傷、故障の防止を図る。【解決手段】第２大入賞口１４ａを開閉する第２大入賞口装置１４は、遊技盤４の盤面と直交する軸回りに開閉動作する第１開閉部材２１と、盤面と平行方向の軸回りに開閉動作する板状の第２開閉部材２２と、第１開閉部材２１を開閉駆動する駆動機構２３と、第１開閉部材２１が閉位置のとき第２開閉部材２２が閉位置となるように、第１開閉部材２１の開閉動作に連動して第２開閉部材２２を開閉動作させる連動機構２４とを備え、第２開閉部材２２は、閉位置のとき盤面４ｃと直角の姿勢になって第１開閉部材２１をガードする。【選択図】図３
2010068943.tif 000002
【特許請求の範囲】
【請求項１】
遊技盤と、始動入賞口と、大入賞口を開閉する大入賞口装置とを備えたパチンコ遊技機において、
前記大入賞口装置は、
遊技盤の盤面と直交する軸回りに開閉動作する第１開閉部材と、
前記盤面と平行方向の軸回りに開閉動作する板状に構成された第２開閉部材と、
前記第１開閉部材を開閉駆動する駆動機構と、
前記第１開閉部材が閉位置のとき第２開閉部材が閉位置となるように、前記第１開閉部材の開閉動作に連動して第２開閉部材を開閉動作させる連動機構を備え、
前記第２開閉部材は、閉位置のとき盤面と直角の姿勢になって第１開閉部材をガードし、開位置のとき盤面と平行姿勢となり且つ前面が盤面と同一面又は盤面に接近した面となることを特徴とするパチンコ遊技機。
【請求項２】
前記第２開閉部材は、閉位置のときの後端部が遊技盤本体部又は盤面に固定された盤面付属部材に盤面と平行方向の軸回りに回動自在に装着されたことを特徴とする請求項１に記載のパチンコ遊技機。
【請求項３】
前記連動機構は、第１開閉部材に設けられ第２開閉部材を開位置側へ押動して回動させる押動部と、第２開閉部材を閉位置へ回動付勢する復帰バネとを備えたことを特徴とする請求項１又は２に記載のパチンコ遊技機。
【請求項４】
前記押動部は、第２開閉部材側へ膨らんだ湾曲凸部であることを特徴とする請求項３に記載のパチンコ遊技機。
【請求項５】
前記遊技盤本体部に形成され、第２開閉部材が開位置のときに嵌合する嵌合穴と、
前記第２開閉部材が閉位置のときに嵌合穴に嵌合して前面が盤面と同一面になる進出位置と、第２開閉部材が開位置のときに第２開閉部材により背面側へ押動された退避位置とに亙って切換えられる遊技盤可動部と、
前記遊技盤可動部を進出位置の方へ弾性付勢する弾性部材とを備えたことを特徴とする請求項１〜４の何れかに記載のパチンコ遊技機。
【請求項６】
前記遊技盤可動部の一端部が遊技盤本体部に盤面と平行方向の軸回りに回動自在に枢支されたことを特徴とする請求項５に記載のパチンコ遊技機。
【請求項７】
前記第２開閉部材が開位置のとき第２開閉部材の前面から発光する発光部を第２開閉部材に設けたことを特徴とする請求項１〜６の何れかに記載のパチンコ遊技機。
【請求項８】
前記発光部は、１又は複数の発光ダイオードを有することを特徴とする請求項７に記載のパチンコ遊技機。
【請求項９】
前記発光部は、複数文字を含む文字列の形に発光することを特徴とする請求項７に記載のパチンコ遊技機。
【発明の詳細な説明】
【技術分野】
【０００１】
本発明は、大入賞口を開閉する開閉部材を有する大入賞口装置を備えたパチンコ遊技機に関するものである。
【背景技術】
【０００２】
従来、パチンコ遊技機として、「羽根モノ」と呼ばれる第２種パチンコ機に分類されるパチンコ遊技機が知られている。このパチンコ遊技機は、開閉動作を行う開閉羽根を有する大入賞口装置を備えている。始動入賞口への遊技球の入賞を契機として開閉羽根が開閉動作して入賞口が開閉され、開閉羽根が閉位置のときは入賞口は閉塞され、開閉羽根が開位置のときは入賞口は開放される。
【０００３】
例えば、特許文献１の遊技機には、遊技盤の盤面の遊技領域の略中央に大入賞口装置が配置され、この大入賞口装置は、上部の上球受板部の左右両端側に遊技盤の盤面と直交する軸回りに開閉動作する左右対称形状の１対の開閉部材と、これら開閉部材を開閉駆動する駆動手段を有する。
【０００４】
他方、近年、第１種パチンコ機に分類されるパチンコ遊技機には、特別図柄を変動表示する特別図柄表示手段と、遊技盤に別個独立に配設された第１，第２大入賞口を夫々開閉する第１，第２大入賞口装置とが設けられている。第１大入賞口装置は、遊技盤の盤面の略中央に配設されたセンタ役物の上部の側部に設けられ、盤面と直交する軸回りに開閉動作する第１開閉部材と、第１開閉部材を開閉駆動する駆動機構を有する。第２大入賞口装置は、センタ役物よりも下側に設けられ、盤面と平行方向の水平な軸回りに開閉動作する第２開閉部材と、第２開閉部材を開閉駆動する駆動機構を有する。
【０００５】
始動入賞口に遊技球が入賞すると、特別図柄表示手段で特別図柄が所定時間変動表示され、始動入賞口への遊技球の入賞時を契機とする抽選により大当りに当選した場合、特別図柄が大当り態様で停止表示される。このとき、その大当り態様の種類に応じて、第１，第２開閉部材の何れかが開閉動作を行い、第１，第２大入賞口が開閉される。
【特許文献１】特開２００６−３４０８５８号公報
【発明の開示】
【発明が解決しようとする課題】
【０００６】
上述した開閉部材が盤面と直交する軸回りに開閉動作するパチンコ遊技機では、開閉部材が常に盤面から突出した位置にあるので、遊技機枠の側部の隙間から針金等を差し込んでその先端を開閉部材に引っ掛けて、不正に開閉部材を開放位置に動かすゴト行為を受け易い。また、この開閉部材は、遊技領域の上流側に設けられているので、その上流に向けて連続的に強力に発射された多くの遊技球が閉位置の開閉部材に衝突するため開閉部材がガタつくという問題がある。
【０００７】
さらに、閉位置の開閉部材に遊技球が強い勢いで繰り返し衝突すると、開閉部材に衝撃が繰り返し作用して開閉部材やその駆動機構の損傷、故障の原因になる。
本発明の目的は、不正に開閉部材を開放するゴト行為の予防、開閉部材の閉位置のときのガタつき防止、開閉部材やその駆動機構の損傷、故障の防止、を図ることができるパチンコ遊技機を提供することである。
【課題を解決するための手段】
【０００８】
上記目的を達成するために本発明は以下のような構成を採用した。尚、括弧内の参照符号は、本発明の理解を助けるために図面との対応関係の一例を示したものであり、本発明の範囲を何ら限定するものではない。
請求項１のパチンコ遊技機は、遊技盤(4)と、始動入賞口(11a,11b)と、大入賞口(14a)を開閉する大入賞口装置(14)とを備えたパチンコ遊技機(1)である。大入賞口装置(14)は、遊技盤(4)の盤面(4c)と直交する軸回りに開閉動作する第１開閉部材(21)と、盤面(4c)と平行方向の軸回りに開閉動作する板状に構成された第２開閉部材(22)と、第１開閉部材(21)を開閉駆動する駆動機構(23)と、第１開閉部材(21)が閉位置のとき第２開閉部材(22)が閉位置となるように、第１開閉部材(21)の開閉動作に連動して第２開閉部材(22)を開閉動作させる連動機構(24)を備え、第２開閉部材(22)は、閉位置のとき盤面と直角の姿勢になって第１開閉部材(21)をガードし、開位置のとき盤面(4c)と平行姿勢となり且つ前面が盤面(4c)と同一面又は盤面(4c)に接近した面となる。
【０００９】
このパチンコ遊技機(1)においては、第１開閉部材(21)が閉位置のときに、第２開閉部材(22)が閉位置となり第１開閉部材(21)をガードし、第１開閉部材(21)を開閉駆動することで、その開閉動作に連動して第２開閉部材(22)を開閉動作させる。即ち、通常時においては、第１開閉部材(21)が第２開閉部材(22)でガードされ、始動入賞口(11a,11b)へ遊技球(P)が入賞した場合や、その入賞を契機とする抽選により大当り態様となった場合には、駆動機構(23)により、間欠的に第１開閉部材(21)が盤面(4c)と直交する軸回りに開閉動作し、連動機構(24)により、第２開閉部材(22)がその開閉部材に連動して盤面(4c)と平行方向の軸回りに開閉動作して、大入賞口(14a)が開閉される。
【００１０】
第１開閉部材(22)が開動作して開位置になったとき、板状の第２開閉部材(22)が、その開動作に連動して閉位置の盤面(4c)と直角の姿勢から開位置の盤面(4c)と平行姿勢となって、前面が盤面(4c)と同一面又は盤面(4c)に接近した面になり、遊技球(P)が大入賞口(14a)へスムーズに流入する。
【００１１】
請求項２のパチンコ遊技機は、請求項１の発明において、第２開閉部材(22)は、閉位置のときの後端部が遊技盤本体部(4b)又は盤面(4c)に固定された盤面付属部材(17a)に盤面(4c)と平行方向の軸回りに回動自在に装着されたことを特徴としている。
【００１２】
請求項３のパチンコ遊技機は、請求項１又は２の発明において、連動機構(24)は、第１開閉部材(21)に設けられ第２開閉部材(22)を開位置側へ押動して回動させる押動部(26)と、第２開閉部材(22)を閉位置へ回動付勢する復帰バネ(30)とを備えたことを特徴としている。
請求項４のパチンコ遊技機は、請求項３の発明において、押動部(26)は、第２開閉部材(22)側へ膨らんだ湾曲凸部であることを特徴としている。
【００１３】
請求項５のパチンコ遊技機は、請求項１〜４の発明の何れかにおいて、遊技盤本体部(4b)に形成され、第２開閉部材(22)が開位置のときに嵌合する嵌合穴(35)と、第２開閉部材(22)が閉位置のときに嵌合穴(35)に嵌合して前面が盤面(4c)と同一面になる進出位置と、第２開閉部材(22)が開位置のときに第２開閉部材(22)により背面側へ押動された退避位置とに亙って切換えられる遊技盤可動部(50)と、遊技盤可動部(50)を進出位置の方へ弾性付勢する弾性部材(53)とを備えたことを特徴としている。
【００１４】
請求項６のパチンコ遊技機は、請求項５の発明において、遊技盤可動部(50)の一端部が遊技盤本体部(4b)に盤面(4c)と平行方向の軸回りに回動自在に枢支されたことを特徴としている。
【００１５】
請求項７のパチンコ遊技機は、請求項１〜６の発明の何れかにおいて、第２開閉部材(22)が開位置のとき第２開閉部材(22)の前面から発光する発光部(32)を第２開閉部材(22)に設けたことを特徴としている。
【００１６】
請求項８のパチンコ遊技機は、請求項７の発明において、発光部(32)は、１又は複数の発光ダイオード(32a,32b,32c)を有することを特徴としている。
請求項９のパチンコ遊技機は、請求項７の発明において、発光部(32)は、複数文字を含む文字列の形に発光することを特徴としている。
【発明の効果】
【００１７】
請求項１の発明によれば、大入賞口装置は、第１開閉部材と、板状の第２開閉部材と、第１開閉部材を開閉する駆動機構と、第１開閉部材の開閉動作に連動して第２開閉部材を開閉動作させる連動機構とを備え、第１開閉部材が閉位置のとき第２開閉部材が閉位置となって盤面と直角の姿勢となり第１開閉部材をガードするので、不正に第１開閉部材を開放するゴト行為を予防することができる。
【００１８】
また、第２開閉部材により第１開閉部材への遊技球の衝突や繰り返しの衝撃作用が生じないため、第１開閉部材の閉位置のときのガタつきを防止することができると共に、第１開閉部材やその駆動機構の損傷、故障を防止することができる。
【００１９】
さらに、板状の第２開閉部材は、開位置のとき盤面と同一面又は盤面に接近した面となるので、開位置のときの第２開閉部材が、開放時の大入賞口への遊技球の流入を妨害する障壁となることがない。
【００２０】
請求項２の発明によれば、第２開閉部材は、閉位置のときの後端部が遊技盤本体部又は盤面に固定された盤面付属部材に盤面と平行方向の軸回りに回動自在に装着されているので、第２開閉部部材の開閉動作を容易に行うことができる。また、盤面に第２開閉部材を取り付けるための部材を別途設ける必要がない。
【００２１】
請求項３の発明によれば、連動機構は、第１開閉部材に設けられた第２開閉部材を開位置側へ押動して回動させる押動部と、第２開閉部材を閉位置へ回動付勢する復帰バネとを備えたので、簡単な機構でもって第１開閉部材の開閉動作に連動して第２開閉部材を開閉動作させることができる。
請求項４の発明によれば、押動部は、第２開閉部材側へ膨らんだ湾曲凸部であるので、第１開閉部材の開動作に連動して第２開閉部材を開動作させることができる。
【００２２】
請求項５の発明によれば、遊技盤本体部に形成され、第２開閉部材が開位置のときに嵌合する嵌合穴と、第２開閉部材が閉位置のときに嵌合穴に嵌合して前面が盤面と同一面になる進出位置と、第２開閉部材が開位置のときに第２開閉部材により背面側へ押動された退避位置とに亙って切換えられる遊技盤可動部と、遊技盤可動部を進出位置の方へ弾性付勢する弾性部材とを備えたので、第２開閉部材の開閉動作に連動して遊技盤可動部を動作させることができる。
【００２３】
請求項６の発明によれば、遊技盤可動部の一端部が遊技盤本体部に盤面と平行方向の軸回りに回動自在に枢支されたので、請求項５と同様の効果を奏する。
請求項７の発明によれば、第２開閉部材が開位置のとき第２開閉部材の前面から発光する発光部を第２開閉部材に設けたので、開位置のときの第２開閉部材の装飾性を向上させることができる。
【００２４】
請求項８の発明によれば、発光部は、１又は複数の発光ダイオードを有するので、請求項８と同様の効果を奏する。
請求項９の発明によれば、発光部は、複数文字を含む文字列の形に発光するので、第２開閉部材の装飾性を一層高めることができる。
【発明を実施するための最良の形態】
【００２５】
以下、本発明を実施するための最良の形態について実施例に基づいて説明する。
本実施例は、遊技盤と、始動入賞口と、大入賞口を開閉する大入賞口装置を備えたパチンコ遊技機に、本発明を適用した場合の一例である。
【実施例】
【００２６】
本発明の実施例について図面に基づいて説明する。
図１、図２に示すように、第１種パチンコ機に分類されるパチンコ遊技機１には、パチンコホールの島構造体に取り付けられる外枠に開閉枠２が開閉自在に装着され、開閉枠２ａに開閉扉３が開閉自在に装着されている。開閉枠２には遊技盤４が装着され、その遊技盤４の前面側に遊技領域５が形成されている。開閉扉３には窓部３ａが形成され、その窓部３ａに透明板３ｂが装着され、その透明板３ｂにより遊技領域５の前側が覆われている。
【００２７】
開閉扉３の上部には複数の装飾ランプ（枠ランプ）３ｃが設けられ、窓部３ａの下側には、所謂チャンスボタンと呼ばれる遊技者が操作可能な演出ボタン９と、発射用の遊技球Ｐや入賞球を貯留する貯留皿６と、遊技者が操作する発射ハンドル７が装着されている。発射ハンドル７が回動操作されると、貯留皿６から発射位置に導入された遊技球Ｐが発射される。ここで、貯留皿６に複数の遊技球Ｐが存在する場合には、例えば、複数の遊技球Ｐが約０．６秒間隔で連続的に発射される。発射された遊技球Ｐは、ガイドレール８で案内されて遊技領域５の頂部に投入される。
【００２８】
図２に示すように、鉛直な盤面４ｃを形成する遊技盤４には、多数の障害釘１０、始動入賞口装置１１、ゲート１２、第１大入賞口装置１３、第２大入賞口装置１４、普通入賞口１５、画像表示器１６、センタ役物１７が遊技領域５に装着され、遊技領域５外に遊技表示盤１８が装着され、遊技盤４の裏側に制御装置２０（図１０参照）が装着されている。遊技盤４は、盤面４ｃを形成する表面板４ａ（化粧板）と、この表面板４ａの裏側に配設される合板からなる遊技盤本体部４ｂとから構成されている（図６参照）。
【００２９】
遊技領域５の頂部に投入された遊技球Ｐは、遊技領域５の多数の障害釘１０や風車１０ａに当たって方向を変えながら落下して、始動入賞口装置１１の始動入賞口１１ａ、１１ｂ、ゲート１２、第１大入賞口装置１３の第１大入賞口１３ａ、第２大入賞口装置１４の第２大入賞口１４ａ、複数の普通入賞口１５の何れかに入賞して遊技領域５外へ排出されるか、最下端まで落下してアウト口１９から遊技領域５外へ排出される。
【００３０】
図２に示すように、始動入賞口装置１１は、センタ役物１７の下側に配置され、電チューと呼ばれる左右１対の開閉部材を備えた電動式チューリップ型役物を含む構成であり、ゲート式の上始動入賞口１１ａと、開閉式の下始動入賞口１１ｂ、下始動入賞口１１ｂを開閉する開閉部材１１ｃ、始動入賞口１１ａ、１１ｂに入賞した遊技球Ｐを検出する始動口ＳＷ１１ｄ、開閉部材１１ｃを開閉駆動する電チューソレノイド１１ｅを有する。開閉部材１１ｃは、左右対称形状の２つの短い羽根部材が盤面４ｃと直交する軸回りに回動するように構成され、閉塞位置で下始動入賞口１１ｂへの遊技球Ｐの入賞を不可能にし、開放位置で下始動入賞口１１ｂへの遊技球Ｐの入賞を可能にする。尚、図２の点線で示す開閉部材１１ｃは閉塞位置にある。
【００３１】
ゲート１２はセンタ役物１７の左側に配置され、このゲート１２を通過した遊技球Ｐを検出するゲートＳＷ１２ａが付設されている。ゲート１２を遊技球Ｐが通過することを契機とする抽選により当選した場合に、始動入賞口装置１１が作動して、通常は閉塞の下始動入賞口１１ｂを開閉するように開閉部材１１ｃを開閉動作させる。
【００３２】
第１大入賞口装置１３は、始動入賞口装置１１の下側に配置され、第１大入賞口１３ａ、第１大入賞口１３ａを開閉する開閉部材１３ｂ、第１大入賞口１３ａに入賞した遊技球Ｐを検出する第１大入賞口ＳＷ１３ｃ、開閉部材１３ｂを開閉駆動するソレノイドアクチュエータ１３ｄ（第１大入賞口ソレノイド）を有する。開閉部材１３ｂは、盤面４ｃと平行方向の水平な軸回りに動作するように構成され、閉位置で第１大入賞口１３ａへの遊技球Ｐの入賞を不可能にし、開放位置で第１大入賞口１３ａへの遊技球Ｐの入賞を可能にする。尚、図２の開閉部材１３ｂは閉位置にある。
【００３３】
遊技表示盤１８は、遊技領域５の下側の右側領域に前方へ向けて配置され、７セグメント表示器からなる特別図柄表示器１８ａ、○×に表示可能な普通図柄表示器１８ｂ、４つの特別図柄保留ランプ１８ｃ、４つの普通図柄保留ランプ１８ｄを備え、これら表示器１８ａ〜１８ｄは発光ダイオード（ＬＥＤ）を発光源としている。特別図柄表示器１８ａでは、始動入賞口１１ａ，１１ｂへの遊技球Ｐの入賞を契機に行われる抽選の結果が変動表示後に表示され、普通図柄表示器１８ｂでは、ゲート１２を遊技球Ｐが通過することを契機に行われる抽選の結果が変動表示後に表示される。
【００３４】
特別図柄表示器１８ａの変動表示中に、始動入賞口１１ａ，１１ｂに入賞した入賞球の個数であって、特別図柄の変動が未だ実行されていない保留数が最大で４つまで保留され、特別図柄保留ランプ１８ｃには、その特別図柄の保留数が表示される。同様に、普通図柄表示器１８ｂの変動表示中に、ゲート１２を通過した遊技球Ｐの数であって、普通図柄の変動が未だ実行されていない保留数が最大で４つまで保留され、普通図柄保留ランプ１８ｄには、その普通図柄の保留数が表示される。
【００３５】
画像表示器１６は、液晶ディスプレイ（ＬＣＤ）からなり、枠状のセンタ役物１７内の開口に配置されている。この画像表示器１６には、例えば、図２に示すように３つの図柄列からなる演出図柄が表示される。この演出図柄は、リーチや大当りに対する遊技者の期待感を喚起するために演出目的で表示されるものである。遊技者は、この演出図柄の停止態様を見て特別図柄表示器の特別図柄の停止態様が当りか否かを認識することができる。つまり、演出図柄は、特別図柄の変動表示に連動して変動表示され、演出図柄の停止図柄の組み合わせが特定の組み合わせで表示された場合には（例えば、「７７７」）、遊技状態が通常の遊技状態から大当り状態や確率変動大当り状態などの特別利益状態に移行される。
【００３６】
また、画像表示器１６には、単に演出図柄が変動表示されるだけでなく、演出図柄変動表示中に、キャラクタ（例えば、人間や動物など）を用いて演出図柄の変動表示にストーリー性を持たせて遊技者のリーチや大当りへの期待感を高めるためのリーチ演出画像や大当り予告演出画像等の特定演出画像、また、遊技者に演出ボタン９の操作を求めるメッセージなどが表示される。
【００３７】
図２に示すように、遊技盤４の盤面４ｃの中央部のほぼ円形の領域に枠状のセンタ役物１７が配置され、このセンタ役物１７を囲繞するように、左側仕切り部１７ａと、下側仕切り部１７ｂと、右側仕切り部１７ｃと上側仕切り部１７ｄとが設けられている。左側仕切り部１７ａの中段部には上下方向に細長い第２大入賞口１４ａが形成され、左側仕切り部１７ａは第２大入賞口１４ａの下側の下部仕切り体１４ｃと、第２大入賞口１４ａの上側の上部仕切り体１４ｂとを有する。なお、左側仕切り部１７ａと、下側仕切り部１７ｂと、右側仕切り部１７ｃと、上側仕切り部１７ｄとが盤面付属部材に相当する。
【００３８】
図２，図３に示すように、第２大入賞口１４ａは、前記の上部及び下部仕切り体１４ｂ，１４ｃと、右側仕切り板１４ｄと、遊技球流入口１４ｅとを有し、遊技球流入口１４ｅには、第２大入賞口１４ａに入賞した遊技球Ｐを検出する第２大入賞口ＳＷ１４ｆが付設されている。遊技球流入口１４ｅに流入した遊技球Ｐは、遊技盤４の裏側に設けられた遊技球払出し通路（図示略）に誘導される。この第２大入賞口１４ａを開閉可能な第２大入賞口装置１４が設けられている。
【００３９】
次に、第２大入賞口装置１４について詳しく説明する。
図３〜図７に示すように、第２大入賞口装置１４は、遊技盤４の盤面４ｃと直交する軸回りに開閉動作する第１開閉部材２１と、盤面４ｃと平行方向の鉛直軸回りに開閉動作する第２開閉部材２２と、第１開閉部材２１を開閉駆動する駆動機構２３と、第１開閉部材２１の開閉動作に連動して第２開閉部材２２を開閉動作させる連動機構２４と、遊技盤本体部４ｂに形成された嵌合穴３５と、盤面４ｃと平行方向の鉛直軸回りに開閉動作する遊技盤可動部５０とを備え、第１開閉部材２１が閉位置のとき第２開閉部材２２が閉位置となって第１開閉部材２１をガードするように構成されている。
【００４０】
第１開閉部材２１は、その下端部に盤面４ｃと直交する枢支軸２５を有し、この枢支軸２５を遊技盤本体部４ｂに固定した合成樹脂製の軸受け部材２６に回動自在に装着することで、第１開閉部材２１が図３に示す閉位置と、図４，図５に示す開位置とに亙って位置切換え自在に構成されている。第１開閉部材２１が閉位置のとき第２大入賞口１４ａが塞がれ、開位置のとき第２大入賞口１４ａが開放される。
【００４１】
第１開閉部材２１は、盤面４ｃと直交する方向に所定の幅を有する断面形状が翼形のものであり、軽量化し慣性モーメントを小さくして開閉動作の応答性を高めるため、例えば合成樹脂材料で中空に構成されている。但し、中空体ではなく中実体に構成してもよいし、合成樹脂発泡体の表面を表皮で覆った部材で構成してもよい。
【００４２】
第１開閉部材２１には、閉位置のとき第２開閉部材２２に当接する押動部２６が形成され、この押動部２６は第２開閉部材２２側へ膨らんだ湾曲凸部に形成されている。第１開閉部材２２の押動部２６と反対側の面は平坦な案内面２７に形成されている。図４に示すように、第１開閉部材２１が開位置のとき、案内面２７が右方下がりの傾斜状になる。案内面２７の水平に対する傾斜角は例えば１０〜２０度であるが、この傾斜角に限定されるものではない。
【００４３】
第２開閉部材２２は、第１開閉部材２１に対して遊技領域５における遊技球Ｐの流動方向上流側（図３における左側）に配設され、閉位置のときの第１開閉部材２１に遊技球Ｐが衝突しないようにガードするガード板としての機能を有するものである。第２開閉部材２２は、第１開閉部材２１よりも広幅で高さの大きな長方形の板状部材に形成され、図３，図６に示す閉位置のとき盤面４ｃと直角の姿勢になり、図４，図５，図７に示す開位置のとき、盤面４ｃと平行姿勢となり、遊技盤本体部４ｂに形成した嵌合穴３５に嵌合して前面が盤面４ｃと同一面となる。
【００４４】
第２開閉部材２２は、閉位置のときの第１開閉部材２１の押動部２６に当接する面と反対側の遊技球衝突面２２ａが図６において左方程前方へ移行するように傾斜状に形成されている。図６に示すように、第２開閉部材２２が閉位置のとき、遊技球衝突面２２ａが図示のように傾斜状になる。そのため、強い勢いの遊技球Ｐが遊技球衝突面に衝突後、ゲート１２や始動入賞口１１ａ，１１ｂの方向に跳ね返って落下していく。
【００４５】
第２開閉部材２２の閉位置のときの後端部の上端部と下端部には、夫々、上方へ突出する支持ピン２８ａと下方へ突出する支持ピン２８ｂとが設けられている。上側の支持ピン２８ａは、遊技盤本体部４ｂに形成された嵌合穴３５の上壁の上側に固定した軸受け部２９ａに回動自在に支持され、下側の支持ピン２８ｂは嵌合穴３５の下壁の下側に固定した軸受け部２９ｂに回動自在に固定されている。第２開閉部材２２は、支持ピン２８ａ，２８ｂを介して遊技盤本体部４ｂに盤面４ｃと平行な鉛直軸回りに回動自在に枢支されている。
【００４６】
図８に示すように、下側の支持ピン２８ｂには捩じりバネからなる復帰バネ３０が外装され、この復帰バネ３０の一端部３０ａが第２開閉部材２２の孔２２ｂに挿入され、復帰バネ３０の他端部３０ｂが軸受け部２９ｂに係合され、この復帰バネ３０により第２開閉部材２２が閉位置へ回動付勢されている。
【００４７】
前記連動機構２４は、第１開閉部材２１に設けられ第２開閉部材２２を開位置側へ押動して回動させる前記の押動部２６と、第２開閉部材２２を閉位置へ回動付勢する前記の復帰バネ３０とで構成されている。
【００４８】
図４に示すように、第２開閉部材２２には、第２開閉部材２２が開位置のとき第２開閉部材２２の前面から発光する発光部３２が設けられている。第２開閉部材２２の開位置のときの前面部には例えば、「大当り」の３文字分の光透過窓が形成され、第２開閉部材２２の内部に偏平な空洞部２２ｃ（図６，図７参照）が形成され、その空洞部２２ｃには３文字に対応する３つの発光ダイオード（ＬＥＤ）３２ａ，３２ｂ、３２ｃが設けられていて、３つの発光ダイオード３２ａ，３２ｂ，３２ｃを点灯することにより、前記の「大当り」の３文字の文字列が発光するように構成されている。
【００４９】
前記発光ダイオード３２ａ，３２ｂ，３２ｃへのケーブルは、例えば上側又は下側の支持ピン２８ａ，２８ｂの内部又は外部を通して配線することができ、それら発光ダイオード３２ａは制御装置２０で駆動制御される。
前記発光ダイオード３２ａ，３２ｂ，３２ｃの代りに１個の発光ダイオードを設けてもよい。また、発光ダイオード３２ａ，３２ｂ，３２ｃの発光色は、赤やオレンジや緑の単色でもよいが、発光ダイオード３２ａ，３２ｂ，３２ｃを複数色に切換え可能なもので構成すれば、複数色に切換えて発光させることができるため、開位置のときの第２開閉部材２２の前面部の装飾性を高めると共に、遊技性を高めることができる。但し、前記の「大当り」の文字列は一例であり、複数の発光ダイオードを複数行複数列のマトリックス状に配置しておけば、種々の文字列を表示することも可能であり、遊技性を一層高めることができる。
【００５０】
次に、第１開閉部材２１を開閉駆動する駆動機構２３について説明する。
図３，図４に示すように、第１開閉部材２１を開閉駆動する駆動機構２３は、第１開閉部材２１を枢支する枢支軸２５と一体のアーム部材３４と、このアーム部材３４と一体形成された作動ピン３６と、この作動ピン３６に係合された係合部材３７と、この係合部材３７を所定ストローク駆動可能なソレノイドアクチュエータ３８（第２大入賞口ソレノイド）とを有する。
【００５１】
前記枢支軸２５とアーム部材３４と作動ピン３６とは例えば合成樹脂又はアルミ合金やマグネシウム合金等の材料で一体成形されている。
前記枢支軸２５の前端部分は、第１開閉部材２１の端部の嵌合穴５６に嵌合されて固着されている。枢支軸２５の後部は軸受け部材２６に挿通支持されて、遊技盤４の背面側に突出しており、その後端部に盤面４ｃと平行に所定長さ延びるアーム部材３４の基端部が一体的に固着され、アーム部材３４の先端部に作動ピン３６が一体的に形成され、この作動ピン３６はアーム部材３４よりも後方へ突出している。
【００５２】
ソレノイドアクチュエータ３８は、遊技盤４の後方に傾斜姿勢に配設され、その出力軸３８ａの軸心は、第１開閉部材２１の閉位置のときの作動ピン３６の軸心と開位置のときの作動ピン３６の軸心とを結ぶ線Ｌと平行になっている。但し、この配置に限定される訳ではない。
【００５３】
ソレノイドアクチュエータ３８の出力軸３８ａの先端に例えば合成樹脂又はアルミ合金やマグネシウム合金等の材料で構成された係合部材３７が固着されている。この係合部材３７には、作動ピン３６の直径の約１．５倍の長さの長穴３７ａが出力軸３８ａの軸心と直交状に形成されている。そのため、第１開閉部材２１が開閉する際に作動ピン３６が円弧軌跡を描くとき、作動ピン３６が長穴３７ａ内を動くから、ソレノイドアクチュエータ３８により作動ピン３６を円滑に駆動することができる。
【００５４】
ソレノイドアクチュエータ３８を電気的に駆動すると（励磁状態）、その出力軸３８ａに係合した係合部材３７が所定ストローク前進作動して、長穴３７ａと作動ピン３６を介してアーム部材３４と第１開閉部材２１とが図３に示す閉位置から図４に示す開位置まで枢支軸２５を中心に反時計回りに一体に回動すると共に、第１開閉部材２１の押動部２６が第２開閉部材２２を開位置側（前方）へ押動して第２開閉部材２２を回動させる。第２開閉部材２２は、その押動部２６の押動力により、復帰バネ３０の付勢力に抗して図３に示す開位置から図４に示す開位置へ回動する。
【００５５】
一方、ソレノイドアクチュエータ３８の電気的な駆動を停止すると（消磁状態）、係合部材３７が後退作動して、長穴３７ａと作動ピン３６を介してアーム部材３４と第１開閉部材２１とが図４に示す開位置から図３に示す閉位置まで枢支軸２５を中心に時計方向回りに一体に回動すると共に、復帰バネ３０の復帰力により、第２開閉部材２２が閉位置まで復帰する。このように、第１開閉部材２１と、第１開閉部材２１の開閉動作に連動して第２開閉部材２２とが開閉動作を行うことにより第２大入賞口１４ａが開閉される。即ち、第１開閉部材２１が開位置のとき第２開閉部材２２が開位置となって第２大入賞口１４ａが開放される一方、第１開閉部材２１が閉位置のとき第２開閉部材２２が閉位置となって第２大入賞口１４ａが閉塞されることになる。
【００５６】
図５〜図７に示すように、遊技盤本体部４ｂには、第２開閉部材２２が開位置のときに嵌合する嵌合穴３５が形成されている。この嵌合穴３５は、縦長矩形状に形成され、表面板４ａに形成された開口部と連通している。
【００５７】
図６，図７に示すように、嵌合穴３５には、開位置のときに嵌合穴３５に嵌合した第２開閉部材２２の背面側に遊技盤可動部５０が収容されている。遊技盤可動部５０は、第２開閉部材２２よりも僅かに広幅の大きさの長方形の板状部材に形成され、第２開閉部材２２の開閉動作に連動して、図６に実線で示す進出位置と、２点鎖線で示す退避位置とに亙って位置切換え自在に構成されている。
【００５８】
図３，図４に示すように、遊技盤可動部５０の左端部（基端部）の上端部と下端部には、夫々、上方へ突出する支持ピン５１ａと下方へ突出する支持ピン５１ｂとが設けられている。上側の支持ピン５１ａは、嵌合穴３５の上壁の上側に固定した軸受け部５２ａに回動自在に支持され、下側の支持ピン５１ｂは嵌合穴３５の下壁の下側に固定した軸受け部５２ｂに回動自在に支持されている。遊技盤可動部５０は、支持ピン５１ａ，５１ｂを介して遊技盤本体部４ｂに盤面４ｃと平行な鉛直軸回りに回動自在に枢支されている。
【００５９】
図９に示すように、下側の支持ピン５１ｂには捩じりコイルバネからなる弾性部材５３が外装され、この弾性部材５３の一端部５３ａが遊技盤可動部５０の孔５０ｂに挿入され、弾性部材５３の他端５３ｂが軸受け部５２ｂに係合され、この弾性部材５３により遊技盤可動部５０が進出位置の方へ回動付勢されている。
【００６０】
第１開閉部材２１が開位置のとき、第２開閉部材２２は、第１開閉部材２１の開動作に連動して図６の閉位置から図７の開位置まで支持ピン２８ａ，２８ｂを中心に時計回りに回動して嵌合穴３５に嵌合し、前面が盤面４ｃと同一面となる。遊技盤可動部５０は、第２開閉部材２２の開動作により背面側へ押動され、弾性部材５３の付勢力に抗して図６の進出位置から図７の退避位置まで回動する。
【００６１】
一方、第１開閉部材２１が閉位置のとき、第２開閉部材２２は、復帰バネ３０の復帰力により、開位置のときの第２開閉部材２２の前面の上端部がセンタ役物１７の左側仕切り部１７ａの左側部の係止部５４（図５参照）に当接して図７の閉位置に復帰する。遊技盤可動部５０は、弾性部材５３の付勢力により、図７の退避位置から図６の進出位置まで回動して、基端部に形成された規制部５０ａが表面板４ａの係止部５７の裏面に当接して嵌合穴３５に嵌合して前面が同一面となる。
【００６２】
図１０に示すように、制御装置２０は、メイン制御装置４０とサブ制御装置４１とで構成されている。メイン制御装置４０は、メイン制御基板４１ａと、メイン制御基板４１ａに実装されたＣＰＵとＲＯＭとＲＡＭを備えている。サブ制御装置４１は、サブ制御基板として、払出制御基板４２、演出制御基板４３、画像制御基板４４、ランプ制御基板４５と、これら複数の制御基板４２〜４５に夫々実装されたＣＰＵとＲＯＭとＲＡＭを備えている。なお、演出制御基板４３は、ＲＴＣ（リアルタイムクロック）も実装されている。
【００６３】
メイン制御基板４０ａが、ゲートＳＷ１２ａ、始動口ＳＷ１１ｄ、第１大入賞口ＳＷ１３ｃ、第２大入賞口ＳＷ１４ｆ、普通入賞口ＳＷ１５ａから検出信号を受けて、また、払出制御基板４２から制御情報を受けて、電チューソレノイド１１ｅ、第１大入賞口ソレノイド１３ｄ、第２大入賞口ソレノイド３８、特別図柄表示器１８ａ、普通図柄表示器１８ｂ、特別図柄保留ランプ１８ｃ、普通図柄保留ランプ１８ｄ、第２開閉部材２２に設けた複数のＬＥＤ３２ａを制御する。
【００６４】
払出制御基板４２は、メイン制御基板４０ａから制御情報を受けて、払出駆動モータ４６を駆動制御し、各入賞口１１ａ，１１ｂ，１３ａ，１４ａ，１５への遊技球Ｐの入賞１個について、各入賞口１１ａ，１１ｂ，１３ａ，１４ａ，１５毎に設定された数の入賞球が貯留皿６に払い出される。演出制御基板４３は、メイン制御基板４０ａから制御情報を受けて、また、演出ボタン９から入力信号を受けて、画像制御基板４４とランプ制御基板４５に夫々制御情報を出力する。
【００６５】
画像制御基板４４は、演出制御基板４３から制御情報を受けて、画像表示器１６とスピーカ４７を制御し、ランプ制御基板４５は、演出制御基板４３から制御情報を受けて、主に画像制御基板４４による制御に同期させて、枠ランプ３ｃと盤ランプ４８と可動役物４９を制御する。例えば、スピーカ４７と枠ランプ３ｃは開閉扉３に設けられ、盤ランプ４８と可動役物４９は遊技盤４の所定の箇所に設けられている。
【００６６】
以上説明した実施例のパチンコ遊技機１の作用効果について説明する。
遊技者が発射ハンドル７を回動操作することで遊技球Ｐが遊技領域５の頂部に連続的に投入される。通常の遊技状態においては、第１開閉部材２１が閉位置のとき第２開閉部材２２も閉位置となって第１開閉部材２１をガードするので、外枠２の側部の隙間から針金等を差し込んで、不正に第１開閉部材２１を開放するゴト行為を確実に予防することができる。
【００６７】
また、閉位置のときの第２開閉部材２２により、第１開閉部材２１への遊技球Ｐの衝突や繰り返しの衝撃作用が回避されるため、第１開閉部材２１の閉位置のときのガタつきを確実に防止できると共に、第１開閉部材２１やその駆動機構２３の損傷、故障を確実に防止することができる。
【００６８】
始動入賞口１１ａ，１１ｂへ遊技球Ｐが入賞した場合、その入賞を契機に行われる抽選により大当りに当選した場合、特別図柄表示器１８ａの変動表示中の特別図柄が大当り図柄態様で停止表示され、大当りが発生する。そして、その停止表示された大当り図柄態様の種類に応じて、第１，第２大入賞口装置１３，１４の何れか一方が作動して第１，第２大入賞口１３ａ，１４ａが開閉される。
【００６９】
第２大入賞口装置１４が作動する場合、連動機構２４は、第１開閉部材２１に設けられた第２開閉部材２２側へ膨らんだ湾曲凸部の押動部２６と、第２開閉部材２２を閉位置へ回動付勢する復帰バネ３０とを備えたので、簡単な機構でもって第１開閉部材２１の開閉動作に連動して第２開閉部材２２を開閉動作させることができる。
【００７０】
板状の第２開閉部材が開位置のとき盤面４ｃと平行姿勢となり且つ嵌合穴３５に嵌合して前面が盤面４ｃと同一面となるので、開位置のときの第２開閉部材が、開放時の大入賞口への遊技球Ｐの流入を妨害する障壁となることがない。  
また、第２開閉部材２２が開位置のとき第２開閉部材２２の前面から発光する１又は複数のカラー発光ダイオード３２ａが、複数文字を含む文字列（例えば、大当り）の形に発光するので、第２開閉部材２２の装飾性を向上させることができると共に、大当り中の遊技性を高めることができる。
【００７１】
遊技盤可動部５０は、第２開閉部材２２が閉位置のときに嵌合穴３５に嵌合して前面が盤面４ｃと同一面となる進出位置と、第２開閉部材２２が開位置のときに第２開閉部材２２により背面側へ押動された退避位置とに亙って位置切換え可能に構成され、遊技盤可動部５０を進出位置の方へ弾性付勢する弾性部材５３を備えたので、第２開閉部材２２の開閉動作に連動して遊技盤可動部５０を動作させることができる。
【００７２】
次に、前記実施例を部分的に変更した変更例について説明する。
１〕実施例では、第２開閉部材２２を遊技盤本体部４ｂに装着したが、盤面４ｃに固定された盤面付属部材に盤面と平行方向の軸回りに回動自在に装着してもよい。
【００７３】
例えば、図１１に示すように、第２開閉部材５５が薄い金属板で形成され、支持ピンを介してセンタ役物１７の左側仕切り部１７ａ（盤面付属部材）に盤面と平行方向の鉛直軸回りに回動自在に枢支されている。第２開閉部材５５は、支持ピンに外装された捩じりコイルバネにより通常時は実線で示す閉位置に回動付勢され、２点鎖線で示す開位置のとき盤面と平行姿勢となり且つ前面が盤面４ｃに接近した面となる。
【００７４】
また、第２開閉部材５０には、第２開閉部材５０が開位置にあるとき遊技球Ｐの流入側の前面の縁端部分に遊技球案内用の傾斜部５５ａが設けられており、開放時の第２大入賞口１４ａへの遊技球Ｐの流入を案内することができる。この変更形態の場合、実施例のように、遊技盤本体部４ｂに嵌合穴３５や遊技盤可動部５０を設ける必要がない。
【００７５】
２〕実施例の第２大入賞口装置１４の第１開閉部材２１の形状及び大きさは、その一例として示した過ぎず、その他、閉位置のときに第２大入賞口１４ａを閉塞できる種々の形状及び大きさを有する羽根部材で構成してもよい。
【００７６】
３〕実施例では、第１種パチンコ機に分類されるパチンコ遊技機１に本発明を適用したが、羽根モノと呼ばれる第２種パチンコ機に分類されるパチンコ遊技機に本発明を適用してもよい。この場合、通常の遊技状態においては、第１開閉部材（羽根部材）が閉位置のときに、第２開閉部材が閉位置となり第１開閉部材をガードし、始動入賞口への遊技球Ｐの入賞を契機として、駆動機構２３の開閉駆動により第１開閉部材（羽根部材）を開閉動作させ、連動機構２４により、第１開閉部材の開閉動作に連動して第２開閉部材を開閉動作させる。
【００７７】
４〕駆動機構２３は、実施例のものに限定されるものではなく、その他、リンク部材やリンク機構を介して第１開閉部材２１，５０を開閉駆動する構成のものであればよい。
５〕その他、当業者であれば、本発明の趣旨を逸脱することなく、前記実施例に種々の変更を付加した形態が実施可能であり、本発明はそのような変更形態を包含するものである。
【図面の簡単な説明】
【００７８】
【図１】パチンコ遊技機の正面図である。
【図２】遊技盤の正面図である。
【図３】第１，第２開閉部材が閉位置のときの正面図である。
【図４】第１，第２開閉部材が開位置のときの正面図である。
【図５】第１，第２開閉部材が開位置のときの斜視図である。
【図６】図３のＶＩ−ＶＩ線断面図である。
【図７】図４のＶＩＩ−ＶＩＩ線断面図である。
【図８】第２開閉部材の下側の支持ピンに外装される復帰バネを示す斜視図である。
【図９】遊技盤可動部の下側の支持ピンに外装される弾性部材を示す斜視図である。
【図１０】パチンコ遊技機の制御系ブロック図である。
【図１１】変更形態に係る図６相当図である。
【符号の説明】
【００７９】
１              パチンコ遊技機
４              遊技盤
４ｂ            遊技盤本体部
４ｃ            盤面
１１ａ          上始動入賞口
１１ｂ          下始動入賞口
１４            第２大入賞口装置
１４ａ          第２大入賞口
１７ａ〜１７ｄ  盤面付属部材
２１            第１開閉部材
２２            第２開閉部材
２３            駆動機構
２４            連動機構
２６            押動部
３０            復帰バネ
３２            発光部
３２ａ、３２ｂ、３２ｃ  発光ダイオード
３５            嵌合穴
５０            遊技盤可動部
５３            弾性部材
【図１】
2010068943.tif 000003
【図２】
2010068943.tif 000004
【図３】
2010068943.tif 000005
【図４】
2010068943.tif 000006
【図５】
2010068943.tif 000007
【図６】
2010068943.tif 000008
【図７】
2010068943.tif 000009
【図８】
2010068943.tif 000010
【図９】
2010068943.tif 000011
【図１０】
2010068943.tif 000012
【図１１】
2010068943.tif 000013